【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
一又は複数のグループに分けられたデータについて、前記グループ及びグループ内のデータ位置が指定された場合に、第１の信号線を介して当該指定されたデータ位置のデータを第２の処理部に送信する第１の処理部と；
個々の前記グループを選択するためのグループオブジェクトを前記グループの数に基づいて決定された数だけ画面に表示させるグループオブジェクト表示部と、
前記画面に表示されたグループオブジェクトが選択された場合に、個々の前記データを選択するためのデータオブジェクトを前記選択されたグループオブジェクトのグループに属するデータの数に基づいて決定された数だけ表示させるデータオブジェクト表示部と、
前記データオブジェクトが選択された場合に、前記選択されたデータオブジェクトのデータが属するグループ及びグループ内のデータ位置を指定して前記第１の処理部に当該データの送信を要求するデータ送信要求部と、
を有する第２の処理部と；
を備える、
表示装置。
【請求項２】
前記第２の処理部は、前記第１の信号線とは異なる第２の信号線を介して前記第１の処理部から前記グループの数を取得するグループ数取得部をさらに有し、
前記グループオブジェクト表示部は、前記グループ数取得部により前記第２の信号線を介して取得された前記グループの数に基づいて前記グループオブジェクトを表示させる、
請求項１に記載の表示装置。
【請求項３】
前記第２の処理部は、前記グループオブジェクトが選択された場合、前記選択されたグループオブジェクトのグループに属するデータの数を前記第１の信号線とは異なる第２の信号線を介して前記第１の処理部から取得するデータ数取得部をさらに有し、
前記データオブジェクト表示部は、前記データ数取得部により前記第２の信号線を介して取得された前記データの数に基づいて前記データオブジェクトを表示させる、
請求項２に記載の表示装置。
【請求項４】
前記データ送信要求部は、前記データ数取得部により取得されたデータの数が１画面に表示可能なデータオブジェクトの数を上回る場合、当該１画面に表示可能なデータオブジェクトの数と同じ数だけ前記データの送信を要求する、
請求項３に記載の表示装置。
【請求項５】
前記データ数取得部は、前記選択されたグループオブジェクトのグループに属するデータの数が１画面に表示可能なデータオブジェクトの数を下回る場合、当該グループとは異なる他のグループに属するデータの数を取得し、
前記データオブジェクト表示部は、前記他のグループに属するデータのデータオブジェクトをさらに表示させる、
請求項３に記載の表示装置。
【請求項６】
前記データ送信要求部は、前記データ数取得部により前記他のグループに属するデータの数が取得された場合、前記データオブジェクト表示部により表示された分だけ当該他のグループに属するデータの送信をさらに要求する、
請求項５に記載の表示装置。
【請求項７】
前記データ送信要求部は、前記グループを特定するためのグループ情報と、当該グループ情報で特定されるグループ内のデータ位置を示すデータ位置情報と、当該データ位置情報で特定されるデータの属性を示すデータ属性情報とが含まれる送信フレームを送信する、
請求項１に記載の表示装置。
【請求項８】
前記送信フレームには、前記グループが自動的に生成されたものか、或いは、ユーザにより事前に生成されたものか、を示すグループ属性がさらに含まれる、
請求項７に記載の表示装置。
【請求項９】
前記第１の信号線は、ＵＳＢ（Ｕｎｉｖｅｒｓａｌ  Ｓｅｒｉａｌ  Ｂｕｓ）方式の信号線であり、
前記第２の信号線は、ＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）方式の信号線であり、
前記データ送信要求部は、ＰＴＰ（Ｐｉｃｔｕｒｅ  Ｔｒａｎｓｆｅｒ  Ｐｒｏｔｏｃｏｌ）のコマンドを用いて前記データの送信を要求する、
請求項２に記載の表示装置。
【請求項１０】
第１の処理部により、
一又は複数のグループに分けられたデータについて、個々の前記グループを選択するためのグループオブジェクトが、前記グループの数に基づいて決定された数だけ画面に表示されるグループオブジェクト表示ステップと、
前記画面に表示されたグループオブジェクトが選択された場合に、個々の前記データを選択するためのデータオブジェクトが、前記選択されたグループオブジェクトのグループに属するデータの数に基づいて決定された数だけ表示されるデータオブジェクト表示ステップと、
前記データオブジェクトが選択された場合に、前記選択されたデータオブジェクトのデータが属するグループ及びグループ内のデータ位置を指定し、かつ、当該データの送信を要求するための送信フレームが第２の処理部に送信されるデータ送信要求ステップと、
前記第２の処理部により、
前記グループ及びグループ内のデータ位置が指定された送信フレームが受信された場合に、所定の信号線を介して当該指定されたデータ位置のデータが前記第１の処理部に送信されるデータ送信ステップと、
を含む、
データ伝送方法。
【手続補正２】
【補正対象書類名】明細書
【補正対象項目名】発明の名称
【補正方法】変更
【補正の内容】
【発明の名称】表示装置、及びデータ伝送方法
【手続補正３】
【補正対象書類名】明細書
【補正対象項目名】０００１
【補正方法】変更
【補正の内容】
【０００１】
本発明は、表示装置、及びデータ伝送方法に関する。
【手続補正４】
【補正対象書類名】明細書
【補正対象項目名】０００８
【補正方法】変更
【補正の内容】
【０００８】
上記課題を解決するために、本発明のある観点によれば、一又は複数のグループに分けられたデータについて、前記グループ及びグループ内のデータ位置が指定された場合、第１の信号線を介して当該指定されたデータ位置のデータを第２の処理部に送信する第１の処理部と、個々の前記グループを選択するためのグループオブジェクトを前記グループの数に基づいて決定された数だけ画面に表示させるグループオブジェクト表示部と、前記画面に表示されたグループオブジェクトが選択された場合に、個々の前記データを選択するためのデータオブジェクトを前記選択されたグループオブジェクトのグループに属するデータの数に基づいて決定された数だけ表示させるデータオブジェクト表示部と、前記データオブジェクトが選択された場合に、前記選択されたデータオブジェクトのデータが属するグループ及びグループ内のデータ位置を指定して前記第１の処理部に当該データの送信を要求するデータ送信要求部と、を有する第２の処理部と、を備える、表示装置が提供される。
【手続補正５】
【補正対象書類名】明細書
【補正対象項目名】００１７
【補正方法】変更
【補正の内容】
【００１７】
また、上記課題を解決するために、本発明の別の観点によれば、第１の処理部により、一又は複数のグループに分けられたデータについて、個々の前記グループを選択するためのグループオブジェクトが、前記グループの数に基づいて決定された数だけ画面に表示されるグループオブジェクト表示ステップと、前記画面に表示されたグループオブジェクトが選択された場合に、個々の前記データを選択するためのデータオブジェクトが、前記選択されたグループオブジェクトのグループに属するデータの数に基づいて決定された数だけ表示されるデータオブジェクト表示ステップと、前記データオブジェクトが選択された場合に、前記選択されたデータオブジェクトのデータが属するグループ及びグループ内のデータ位置を指定し、かつ、当該データの送信を要求するための送信フレームが第２の処理部に送信されるデータ送信要求ステップと、前記第２の処理部により、前記グループ及びグループ内のデータ位置が指定された送信フレームが受信された場合に、所定の信号線を介して当該指定されたデータ位置のデータが前記第１の処理部に送信されるデータ送信ステップと、を含む、データ伝送方法が提供される。
【手続補正６】
【補正対象書類名】明細書
【補正対象項目名】００１８
【補正方法】変更
【補正の内容】
【００１８】
また、上記課題を解決するために、本発明の別の観点によれば、上記の表示装置が有する各構成要素の機能をコンピュータに実現させるためのプログラムが提供されうる。さらに、当該プログラムが記録された記録媒体が提供されうる。また、上記課題を解決するために、本発明の別の観点によれば、上記表示装置が有する各構成要素の機能を搭載した画像処理装置が提供されうる。